(57)【特許請求の範囲】
【請求項１】
電波を発信する親機と無線通信可能な通信装置であって、
前記親機の無線通信を中継する中継装置の設置候補位置において、前記通信装置が、前記親機に対してパケットを送信してから、当該親機が送信した応答パケットを受信するまでの時間である往復遅延時間を取得する取得部と、
前記往復遅延時間に基づいて、前記設置候補位置が前記中継装置の設置位置として適しているか否かを判定する判定部と、
を備える通信装置。
【請求項２】
前記取得部は、前記通信装置が、前記親機に対してパケットを複数送信してから、複数のパケットのそれぞれに対応する複数の前記往復遅延時間を取得するとともに、前記パケットのロス率をさらに取得し、
前記判定部は、前記パケットのロス率及び前記往復遅延時間に基づいて、前記設置候補位置が前記親機から遠く、前記設置位置として不適切な位置であるか否かを判定する、
請求項１に記載の通信装置。
【請求項３】
前記判定部は、前記ロス率が、予め定められた第１閾値以上である場合に、前記設置候補位置が前記親機から遠く、前記設置候補位置が前記不適切な位置であると判定する、
請求項２に記載の通信装置。
【請求項４】
前記判定部は、一の場所における前記パケットのロス率が前記第１閾値以上であるとき、当該一の場所が示す前記設置候補位置が前記親機から遠く、前記設置候補位置が前記不適切な位置であると判定する、
請求項３に記載の通信装置。
【請求項５】
所定の解像度の映像を視聴するために最低限必要とされるスループットと、前記パケットのサイズとに基づいて、当該映像を視聴するために最低限必要とされる前記往復遅延時間を第２閾値として算出する第２閾値算出部をさらに備え、
前記判定部は、前記往復遅延時間の統計値が前記第２閾値以上である場合に、前記設置候補位置が前記親機から遠く、前記設置候補位置が前記不適切な位置であると判定する、
請求項２から４のいずれか１項に記載の通信装置。
【請求項６】
前記判定部は、前記取得部が一の場所において取得した複数の前記往復遅延時間の統計値を算出し、当該統計値が前記第２閾値以上である場合に、当該一の場所が示す前記設置候補位置が前記親機から遠く、前記設置候補位置が前記不適切な位置であると判定する、
請求項５に記載の通信装置。
【請求項７】
前記判定部は、前記往復遅延時間に基づいて、前記設置候補位置が前記親機に近すぎて、前記設置位置として不適切な位置であるか否かを判定する、
請求項１から６のいずれか１項に記載の通信装置。
【請求項８】
前記取得部は、前記設置候補位置における、複数の前記パケットの送信に対する前記往復遅延時間の分散を取得し、
前記判定部は、前記分散に基づいて、前記設置候補位置が前記親機に近すぎて、前記設置位置として不適切な位置であるか否かを判定する、
請求項７に記載の通信装置。
【請求項９】
前記取得部は、前記設置候補位置における、前記親機の電波強度を取得し、
前記判定部は、前記親機の電波強度に基づいて、前記設置候補位置が前記設置位置とし不適切な位置であるか否かを判定する、
請求項７又は８に記載の通信装置。
【請求項１０】
所定の解像度の映像を視聴するために十分とされるスループットと、前記パケットのサイズとに基づいて、当該映像を視聴するために十分とされる前記往復遅延時間を第３閾値として算出する第３閾値算出部をさらに備え、
前記判定部は、前記設置候補位置における、複数の前記パケットの送信に対応する前記往復遅延時間の統計値が前記第３閾値以下である場合に、前記設置候補位置が前記親機に近すぎて、前記設置位置として不適切な位置であると判定する、
請求項７から９のいずれか１項に記載の通信装置。
【請求項１１】
前記取得部は、前記設置候補位置から所定範囲内の複数の位置のそれぞれで、前記通信装置が前記親機に対して前記パケットを送信した場合の、当該複数の位置における前記往復遅延時間の統計値を取得し、
前記第３閾値算出部は、前記複数の位置における前記往復遅延時間の統計値が前記第３閾値の所定割合未満又は所定割合以上である場合に、当該第３閾値を当該往復遅延時間の統計値に基づいて更新する、
請求項１０に記載の通信装置。
【請求項１２】
前記取得部は、前記親機との前記往復遅延時間の統計値を取得するとともに、前記親機の近傍に配置されている子機に対して前記パケットを複数送信して前記子機との前記往復遅延時間の統計値を取得し、
前記第３閾値算出部は、前記親機との前記往復遅延時間の統計値と、前記子機との前記往復遅延時間の統計値とに基づいて、前記親機と前記子機との間の前記往復遅延時間の統計値を算出し、当該親機と前記子機との間の前記往復遅延時間の統計値が前記第３閾値の所定割合未満又は所定割合以上である場合に、当該第３閾値を当該往復遅延時間の統計値に基づいて更新する、
請求項１０に記載の通信装置。
【請求項１３】
前記判定部が、前記設置候補位置が前記設置位置として適していると判定した場合に、前記往復遅延時間、所定解像度の映像を視聴するために最低限必要とされるスループット、当該映像を視聴するために十分とされるスループット、及び前記パケットのサイズに基づいて、前記設置候補位置の、前記設置位置としての適切度を算出する適切度算出部をさらに備える、
請求項１から１２のいずれか１項に記載の通信装置。
【請求項１４】
電波を発信する親機と、当該親機と無線通信可能な通信装置とを備える通信システムであって、
前記親機は、前記通信装置からパケットを受信したことに応じて、当該通信装置に応答パケットを送信し、
前記通信装置は、
前記親機の無線通信を中継する中継装置の設置候補位置において、前記通信装置が、前記親機に対してパケットを送信してから、当該親機が送信した応答パケットを受信するまでの時間である往復遅延時間を取得する取得部と、
前記往復遅延時間に基づいて、前記設置候補位置が前記中継装置の設置位置として適しているか否かを判定する判定部とを有する、
通信システム。
【請求項１５】
電波を発信する親機の無線通信を中継する中継装置の設置候補位置が設置位置として適しているかを判定する判定方法であって、
前記親機と無線通信可能な通信装置が前記設置候補位置に位置している場合に、当該通信装置において前記親機に対してパケットを送信してから、当該親機が送信した応答パケットを受信するまでの時間である往復遅延時間を取得するステップと、
前記往復遅延時間に基づいて、前記設置候補位置が前記設置位置として適しているか否かを判定するステップと、
を備える判定方法。
【請求項１６】
電波を発信する親機と無線通信可能なコンピュータを、
前記親機の無線通信を中継する中継装置の設置候補位置において、前記コンピュータが、前記親機に対してパケットを送信してから、当該親機が送信した応答パケットを受信するまでの時間である往復遅延時間を取得する取得部、及び、
前記往復遅延時間に基づいて、前記設置候補位置が前記中継装置の設置位置として適しているか否かを判定する判定部、
として機能させる通信プログラム。
【発明の詳細な説明】
【技術分野】
【０００１】
本発明は、通信装置、通信システム、判定方法及び通信プログラムに関する。
【背景技術】
【０００２】
従来、無線ＬＡＮ等の無線通信機器の中継装置を設置する際に、当該中継装置の設置予定位置においてスループットが十分に出ているか否かといった検証が行われている。例えば、特許文献１には、無線ＬＡＮの基地局装置に対して無線ＬＡＮ制御信号を送信した回数と、当該無線ＬＡＮ制御信号に対する応答信号を当該親機から受信した回数とに基づいてフレームエラーレートを算出し、スループットの理論値と、フレームエラーレートとに基づいて、当該無線ＬＡＮのスループットを算出する測定装置が提案されている。
【先行技術文献】
【特許文献】
【０００３】
【特許文献１】特許第４６７５７４３号公報
【発明の概要】
【発明が解決しようとする課題】
【０００４】
家庭等において無線ＬＡＮを構築する場合、中継装置を設置する前に、中継装置の設置候補位置においてスループットが十分に出ているかを検証できることが好ましい。このため、例えば、普及率が高く、無線ＬＡＮの子機として機能するスマートフォン等の携帯端末を測定装置として機能させることが好ましい。
【０００５】
これに対して、特許文献１では、ＩＰレイヤーでの通信をせずに、例えば、無線ＬＡＮのプローブ要求を用いて無線ＬＡＮのスループットを測定するものである。このように、無線ＬＡＮのプローブ要求を用いて無線ＬＡＮのスループットを測定することは、専用の通信装置を用いることを前提としたものであり、スマートフォン等の携帯端末において実現することが困難であるという問題があった。
【０００６】
そこで、本発明はこれらの点に鑑みてなされたものであり、専用の通信装置を用いることなく中継装置の設置候補位置が設置位置として適しているかを判定することができる通信装置、通信システム、判定方法及び通信プログラムを提供することを目的とする。
【課題を解決するための手段】
【０００７】
本発明の第１の態様に係る通信装置は、電波を発信する親機と無線通信可能な通信装置であって、前記親機の無線通信を中継する中継装置の設置候補位置において、前記通信装置が、前記親機に対してパケットを送信してから、当該親機が送信した応答パケットを受信するまでの時間である往復遅延時間を取得する取得部と、前記往復遅延時間に基づいて、前記設置候補位置が前記中継装置の設置位置として適しているか否かを判定する判定部と、を備える。
【０００８】
前記取得部は、前記通信装置が、前記親機に対してパケットを複数送信してから、複数のパケットのそれぞれに対応する複数の前記往復遅延時間を取得するとともに、前記パケットのロス率をさらに取得し、前記判定部は、前記パケットのロス率及び前記往復遅延時間に基づいて、前記設置候補位置が前記親機から遠く、前記設置位置として不適切な位置であるか否かを判定してもよい。
【０００９】
前記判定部は、前記ロス率が、予め定められた第１閾値以上である場合に、前記設置候補位置が前記親機から遠く、前記設置候補位置が前記不適切な位置であると判定してもよい。
前記判定部は、一の場所における前記パケットのロス率が前記第１閾値以上であるとき、当該一の場所が示す前記設置候補位置が前記親機から遠く、前記設置候補位置が前記不適切な位置であると判定してもよい。
前記通信装置は、所定の解像度の映像を視聴するために最低限必要とされるスループットと、前記パケットのサイズとに基づいて、当該映像を視聴するために最低限必要とされる前記往復遅延時間を第２閾値として算出する第２閾値算出部をさらに備え、前記判定部は、前記往復遅延時間の統計値が前記第２閾値以上である場合に、前記設置候補位置が前記親機から遠く、前記設置候補位置が前記不適切な位置であると判定してもよい。
前記判定部は、前記取得部が一の場所において取得した複数の前記往復遅延時間の統計値を算出し、当該統計値が前記第２閾値以上である場合に、当該一の場所が示す前記設置候補位置が前記親機から遠く、前記設置候補位置が前記不適切な位置であると判定してもよい。
【００１０】
前記判定部は、前記往復遅延時間に基づいて、前記設置候補位置が前記親機に近すぎて、前記設置位置として不適切な位置であるか否かを判定してもよい。
前記取得部は、前記設置候補位置における、複数の前記パケットの送信に対する前記往復遅延時間の分散を取得し、前記判定部は、前記分散に基づいて、前記設置候補位置が前記親機に近すぎて、前記設置位置として不適切な位置であるか否かを判定してもよい。
前記取得部は、前記設置候補位置における、前記親機の電波強度を取得し、前記判定部は、前記親機の電波強度に基づいて、前記設置候補位置が前記親機に近すぎて、前記設置位置として不適切な位置であるか否かを判定してもよい。
【００１１】
前記通信装置は、所定の解像度の映像を視聴するために十分とされるスループットと、前記パケットのサイズとに基づいて、当該映像を視聴するために十分とされる前記往復遅延時間を第３閾値として算出する第３閾値算出部をさらに備え、前記判定部は、前記設置候補位置における、複数の前記パケットの送信に対応する前記往復遅延時間の統計値が前記第３閾値以下である場合に、前記設置候補位置が前記親機に近すぎて、前記設置位置として不適切な位置であると判定してもよい。
【００１２】
前記取得部は、前記設置候補位置から所定範囲内の複数の位置のそれぞれで、前記通信装置が前記親機に対して前記パケットを送信した場合の、当該複数の位置における前記往復遅延時間の統計値を取得し、前記第３閾値算出部は、前記複数の位置における前記往復遅延時間の統計値が前記第３閾値の所定割合未満又は所定割合以上である場合に、当該第３閾値を当該往復遅延時間の統計値に基づいて更新してもよい。
【００１３】
前記取得部は、前記親機との前記往復遅延時間の統計値を取得するとともに、前記親機の近傍に配置されている子機に対して前記パケットを複数送信して前記子機との前記往復遅延時間の統計値を取得し、前記第３閾値算出部は、前記親機との前記往復遅延時間の統計値と、前記子機との前記往復遅延時間の統計値とに基づいて、前記親機と前記子機との間の前記往復遅延時間の統計値を算出し、当該親機と前記子機との間の前記往復遅延時間の統計値が前記第３閾値の所定割合未満又は所定割合以上である場合に、当該第３閾値を当該往復遅延時間の統計値に基づいて更新してもよい。
【００１４】
前記通信装置は、前記判定部が、前記設置候補位置が前記設置位置として適していると判定した場合に、前記往復遅延時間、所定解像度の映像を視聴するために最低限必要とされるスループット、当該映像を視聴するために十分とされるスループット、及び前記パケットのサイズに基づいて、前記設置候補位置の、前記設置位置としての適切度を算出する適切度算出部をさらに備えてもよい。
【００１５】
本発明の第２の態様に係る通信システムは、電波を発信する親機と、当該親機と無線通信可能な通信装置とを備える通信システムであって、前記親機は、前記通信装置からパケットを受信したことに応じて、当該通信装置に応答パケットを送信し、前記通信装置は、前記親機の無線通信を中継する中継装置の設置候補位置において、前記通信装置が、前記親機に対してパケットを送信してから、当該親機が送信した応答パケットを受信するまでの時間である往復遅延時間を取得する取得部と、前記往復遅延時間に基づいて、前記設置候補位置が前記中継装置の設置位置として適しているか否かを判定する判定部とを有する。
【００１６】
本発明の第３の態様に係る判定方法は、電波を発信する親機の無線通信を中継する中継装置の設置候補位置が設置位置として適しているかを判定する判定方法であって、前記親機と無線通信可能な通信装置が前記設置候補位置に位置している場合に、当該通信装置において前記親機に対してパケットを送信してから、当該親機が送信した応答パケットを受信するまでの時間である往復遅延時間を取得するステップと、前記往復遅延時間に基づいて、前記設置候補位置が前記設置位置として適しているか否かを判定するステップと、を備える。
【００１７】
本発明の第４の態様に係る通信プログラムは、電波を発信する親機と無線通信可能なコンピュータを、前記親機の無線通信を中継する中継装置の設置候補位置において、前記コンピュータが、前記親機に対してパケットを送信してから、当該親機が送信した応答パケットを受信するまでの時間である往復遅延時間を取得する取得部、及び、前記往復遅延時間に基づいて、前記設置候補位置が前記中継装置の設置位置として適しているか否かを判定する判定部、として機能させる。
【発明の効果】
【００１８】
本発明によれば、専用の通信装置を用いることなく中継装置の設置候補位置が設置位置として適しているかを判定することができるという効果を奏する。
【図面の簡単な説明】
【００１９】
【図１】第１の実施形態に係る通信システムの概要を示す図である。
【図２】第１の実施形態に係る通信装置の構成を示す図である。
【図３】中継装置の設置位置の適否判定用の画面の一例である。
【図４】中継装置の設置位置の適否判定用の画面に判定結果及び適切度が表示された例を示す図である。
【図５】第１の実施形態に係る通信装置における処理の流れを示すフローチャートである。
【図６Ａ】実際のスループットが、所定の解像度の映像を視聴するために十分とされるスループットよりも大きい場合のスループット特性の例を示す図である。
【図６Ｂ】実際のスループットが、所定の解像度の映像を視聴するために十分とされるスループットよりも小さい場合のスループット特性の例を示す図である。
【図７】通信装置における第３閾値の更新処理の流れを示すフローチャートである。
【図８】第３の実施形態における通信システムの概要を示す図である。
【発明を実施するための形態】
【００２０】
以下、本発明の実施形態について説明する。
＜第１の実施形態＞
［通信システムＳの概要］
図１は、第１の実施形態に係る通信システムＳの概要を示す図である。通信システムＳは、親機１と、通信装置２とを備える。通信システムＳは、親機１の通信を中継する中継装置の設置候補となる位置を示す設置候補位置が、設置位置として適しているか否かを判定するシステムである。
【００２１】
親機１は、電波を発信する機能を有しており、例えば無線ＬＡＮのアクセスポイントである。通信装置２は、親機１と無線により通信可能な子機であり、スマートフォンやタブレット等の携帯端末である。本実施形態では、親機１が建物内に設置されており、通信装置２を持ったユーザが、当該建物内を自由に移動できることが想定されている。なお、親機１は、無線ＬＡＮのアクセスポイントに有線により接続されたコンピュータであってもよい。
【００２２】
通信装置２は、ユーザが設置候補位置に位置している場合に当該ユーザから所定の操作を受け付けたことに応じて、親機１に対してエコー要求を行うパケットを送信し、親機１から応答パケットを受信することにより、パケットを送信してから応答パケットを受信するまでの往復遅延時間（Round Trip Time、以下、「ＲＴＴ」という。）を取得する（図１の（１））。そして、通信装置２は、取得したＲＴＴに基づいて、設置候補位置が中継装置の設置位置として適切か否かを判定する（図１の（２））。そして、通信装置２は、判定結果を通信装置２の表示部に表示させる（図１の（３））。これにより、通信装置２のユーザは、設置候補位置が、中継装置の設置位置として適切であるかを確認することができる。
以下、通信システムＳを構成する通信装置２の構成について説明する。
【００２３】
［通信装置２の構成例］
図２は、第１の実施形態に係る通信装置２の構成を示す図である。
通信装置２は、表示部２１と、入力部２２と、無線部２３と、記憶部２４と、制御部２５とを備える。
【００２４】
表示部２１は、例えば、液晶ディスプレイや有機ＥＬ（Electro-Luminescence）ディスプレイ等により構成される。表示部２１は、例えば、制御部２５の制御に応じて、中継装置の設置候補位置が、中継装置の設置位置として適切であるか否かを示す画面を表示する。
入力部２２は、例えば、ボタンや、表示部２１上に配置される接触センサ等により構成されており、通信装置２のユーザから操作入力を受け付ける。
【００２５】
無線部２３は、例えば、無線によって親機１等の外部装置と通信を行う。具体的には、無線部２３は、制御部２５から出力された信号を変調してＲＦ（Radio Frequency）信号を生成し、アンテナ（不図示）を介して当該ＲＦ信号を無線送信する。無線部２３は、アンテナを介して受信したＲＦ信号を復調し、復調により得られた信号を制御部２５に出力する。
【００２６】
記憶部２４は、例えば、ＲＯＭ及びＲＡＭ等により構成される。記憶部２４は、通信装置２を機能させるための各種プログラムを記憶する。例えば、記憶部２４は、通信装置２の制御部２５を、後述する取得部２５１、判定部２５２、適切度算出部２５３、表示制御部２５４、第２閾値算出部２５５、及び第３閾値算出部２５６として機能させる通信プログラムとしての速度測定用アプリケーションを記憶する。
【００２７】
制御部２５は、例えば、ＣＰＵにより構成される。制御部２５は、記憶部２４に記憶されている各種プログラムを実行することにより、通信装置２に係る機能を制御する。制御部２５は、取得部２５１と、判定部２５２と、適切度算出部２５３と、表示制御部２５４と、第２閾値算出部２５５と、第３閾値算出部２５６とを備える。
【００２８】
取得部２５１は、設置候補位置において、通信装置２が、親機１に対してパケットを送信してから、当該親機１が送信した応答パケットを受信するまでの時間であるＲＴＴを取得する。具体的には、まず、通信装置２のユーザは、通信装置２のメニュー（不図示）から速度測定用アプリケーションを選択し、通信装置２に速度測定用アプリケーションを実行させる。速度測定用アプリケーションが実行されたことに応じて、制御部２５は、図３に示す、中継装置の設置位置の適否判定用の画面を表示部２１に表示させる。
【００２９】
図３に示す画面では、開始ボタンが表示されている。ユーザは、通信装置２を持ちながら中継装置の設置候補位置に移動する。そして、ユーザが、当該設置候補位置において開始ボタンを押下すると、取得部２５１は、ＩＣＭＰ（Internet Control Message Protocol）のｐｉｎｇを実行することにより、親機１に対してエコー要求を行うパケットを親機１に複数回送信する。親機１は、当該パケットを受信したことに応じて、応答パケットを送信する。
【００３０】
取得部２５１は、親機１に送信した複数のパケットのそれぞれに対応する応答パケットを受信すると、例えば、応答パケットを受信した時刻から親機１に対してパケットを送信した時刻を減算することにより、複数のパケットのそれぞれに対応する複数のＲＴＴを取得する。また、取得部２５１は、送信したパケットに対応する応答パケットを所定時間内に受け取らなかった場合、パケットがロスしたものとする。そして、取得部２５１は、通信装置２が、親機１に対して送信した複数のパケットのそれぞれに対応して応答パケットを取得できたか否かを判定することにより、パケットのロス率を取得する。
また、取得部２５１は、同一の設置候補位置において取得した複数のＲＴＴを用いて、ＲＴＴの平均値及び分散を算出する。また、取得部２５１は、設置候補位置における親機１の電波の強度を示す電波強度情報を取得する。
【００３１】
判定部２５２は、取得部２５１が取得したＲＴＴに基づいて、設置候補位置が中継装置の設置位置として適しているか否かを判定する。具体的には、判定部２５２は、パケットのロス率及びＲＴＴの平均値に基づいて、設置候補位置が親機１から遠く、中継装置の設置位置として不適切な位置であるか否かを判定する。また、判定部２５２は、取得部２５１が設置候補位置において取得した電波強度情報が示す親機１の電波強度に基づいて、設置候補位置が親機１から遠く、中継装置の設置位置として不適切な位置であるか否かを判定する。
【００３２】
より具体的には、判定部２５２は、ロス率が、予め定められた第１閾値以上、ＲＴＴの平均値が第２閾値以上、又は親機１の電波強度が第４閾値以下である場合に、設置候補位置が親機１から遠く、設置位置として不適切な位置であると判定する。
【００３３】
例えば、通信装置２が送信したパケットの個数をn、ロス率をloss(n)、第１閾値をth_loss、ＲＴＴの平均値をave(n)、第２閾値をth_ave_max、親機１の電波強度をrssi、第４閾値をth_rssi_minとした場合に、判定部２５２は、以下の式（１）に示す条件式を満たすと、設置候補位置が親機１から遠く、中継装置の設置位置として不適切であると判定する。ここで、記号「||」は、論理和を示している。このようにすることで、通信装置２は、設置候補位置が親機１から遠すぎることをユーザに確認させることができる。なお、th_ave_maxは、所定の解像度の映像を視聴するために最低限必要とされるスループットに基づいて、第２閾値算出部２５５によって算出される。この算出の方法については後述する。
loss(n) ≧ th_loss || ave(n) ≧ th_ave_max || rssi ≦ th_rssi_min ・・・（１）
【００３４】
また、判定部２５２は、ＲＴＴの平均値に基づいて、設置候補位置が親機１に近すぎて、中継装置の設置位置として不適切な位置であるか否かを判定する。具体的には、判定部２５２は、設置候補位置における、複数のパケットの送信に対応するＲＴＴの平均値が第３閾値以下である場合に、当該設置候補位置が親機１に近すぎて、中継装置の設置位置として不適切な位置であると判定する。
【００３５】
また、判定部２５２は、取得部２５１が取得した分散に基づいて、設置候補位置が親機１に近すぎて、設置位置として不適切な位置であるか否かを判定する。具体的には、設置候補位置が親機１に近い場合、設置候補位置が親機１から遠い場合に比べて親機１の電波強度が強いことから、通信の遅延が生じにくく、ＲＴＴのばらつきが少なくなる。そこで、判定部２５２は、設置候補位置におけるＲＴＴの分散が、第５閾値以下である場合に、当該設置候補位置が親機１に近すぎて、中継装置の設置位置として不適切な位置であると判定する。
【００３６】
また、判定部２５２は、取得部２５１が設置候補位置において取得した電波強度情報が示す親機１の電波強度に基づいて、設置候補位置が親機１に近すぎて、中継装置の設置位置として不適切な位置であるか否かを判定する。具体的には、判定部２５２は、親機１の電波強度が、第４閾値よりも大きい第６閾値以上である場合に、設置候補位置が親機１に近すぎて、中継装置の設置位置として不適切な位置であるか否かを判定する。
【００３７】
例えば、第３閾値をth_ave_min、ＲＴＴの分散をvar(n)、第５閾値をth_var、第６閾値をth_rssi_maxとした場合に、判定部２５２は、以下の式（２）に示す条件式を満たすと、設置候補位置が親機１に近すぎて中継装置の設置位置として不適切であると判定する。このようにすることで、通信装置２は、設置候補位置が親機１に近すぎることをユーザに確認させることができる。なお、th_ave_min及びth_varは、所定の解像度の映像を視聴するために十分とされるスループットに基づいて、第３閾値算出部２５６によって算出される。th_ave_minの算出方法については後述する。
ave(n) ≦ th_ave_min || var(n) ≦ th_var || rssi ≧ th_rssi_max・・・（２）
【００３８】
また、判定部２５２は、上述の式（１）及び式（２）のいずれの条件式も満たさない場合、設置候補位置が、中継装置の設置位置として適切な位置であると判定する。
ここで、通信装置２のユーザが、最適な設置候補位置を選択するために、通信装置２を持ちながら移動することが考えられる。このため、判定部２５２は、定期的（例えば１秒おき）に、取得部２５１が取得したＲＴＴに基づいて、設置候補位置が設置位置として適しているか否かを判定する。例えば、判定部２５２は、１秒おきに判定を行う場合、取得部２５１が取得したＲＴＴのうち、最新の１秒間のＲＴＴに基づいて判定する。
【００３９】
なお、判定部２５２は、通信装置２が同一の場所に位置している場合に、取得部２５１が当該同一の場所において過去ｎ秒間に取得した複数のＲＴＴの平均値を算出し、当該統計値が第２閾値以上である場合に、当該同一の場所が示す設置候補位置が親機１から遠く、設置候補位置が不適切な位置であると判定してもよい。
【００４０】
この場合、通信装置２は、自身にかかる加速度を検出する加速度検出部（不図示）や、自身の位置を検出する位置検出部（不図示）を備えておき、判定部２５２は、加速度検出部が検出した加速度、及び位置検出部が検出した通信装置２の位置の少なくともいずれかに基づいて、通信装置２が同一の設置候補位置に位置しているか否かを判定してもよい。このようにすることで、判定部２５２は、同一の場所において過去ｎ秒間に取得した多くのＲＴＴに基づいて平均値を算出するので、当該同一の場所における電波状況を多く反映した平均値を算出することができる。
【００４１】
また、判定部２５２は、通信装置２が同一の場所に位置している場合において、当該同一の場所における過去ｎ秒間のパケットのロス率が第１閾値以上であるとき、当該同一の場所が示す設置候補位置が親機１から遠く、当該設置候補位置が不適切な位置であると判定してもよい。このようにすることで、判定部２５２は、同一の場所におけるパケットの送受信状況に基づいて、当該同一の場所が設置候補位置として適しているか否かを判定することができる。なお、通信装置２が同一の場所に位置している場合には、通信装置２が同一の場所に停止することによって当該場所に連続して位置している場合、及び通信装置２が同一の場所に複数回位置した場合のいずれも含まれるものとする。
【００４２】
適切度算出部２５３は、設置候補位置が設置位置として適していると判定部２５２が判定した場合に、ＲＴＴ、所定解像度の映像を視聴するために最低限必要とされるスループット、当該映像を視聴するために十分とされるスループット、及びパケットのサイズに基づいて、設置候補位置の、設置位置としての適切度を算出する。
【００４３】
具体的には、適切度をGAUGE(n)とすると、適切度算出部２５３は、以下の式（３）に基づいて適切度を算出する。ここで、ave(n)は、th_ave_minよりも大きく、th_ave_maxよりも小さいことから、式（３）において、適切度は、０よりも大きく、１よりも小さい値となる。ここで、適切度が０．５に近ければ近いほど、設置候補位置が適切であることを示すものとする。また、適切度が０に近ければ近いほど、設置候補位置が親機１に近いことを示し、１に近ければ近いほど、設置候補位置が親機１から遠いことを示している。
GAUGE(n) = (ave(n) - th_ave_min) / (th_ave_max - th_ave_min)・・・（３）
なお、適切度算出部２５３は、取得部２５１が設置候補位置において取得した親機１の電波強度に基づいて、設置候補位置の設置位置としての適切度を算出してもよい。
【００４４】
表示制御部２５４は、判定部２５２による判定結果、及び適切度算出部２５３による適切度を示す情報を表示部２１に表示させる。具体的には、表示制御部２５４は、図３に示す、表示部２１に表示されている中継装置の設置位置の適否判定用の画面に対して、判定結果及び適切度を表示させる。
【００４５】
図４は、中継装置の設置位置の適否判定用の画面に、判定結果及び適切度が表示された例を示す図である。図４に示すように、適否判定用の画面には、中継装置の設置候補位置が、設置位置として近すぎるか、適切か、遠すぎるかを分類する第１領域２２１、第２領域２２２及び第３領域２２３が表示されている。また、適否判定用の画面には、停止ボタンが表示されており、この停止ボタンがユーザによって押下されると、取得部２５１がパケットの送信を停止するとともに、判定部２５２が判定を停止する。
【００４６】
表示制御部２５４は、判定結果及び適切度をインジケータ２２０で示す。具体的には、表示制御部２５４は、判定結果が適切であることを示している場合、インジケータを第２領域２２２に表示させる。ここで、表示制御部２５４は、第１領域２２１と第２領域２２２との境界線に対応する横軸上の座標を、適切度「０」に対応する座標Xminとし、第２領域２２２と第３領域２２３との境界線に対応する横軸上の座標を、適切度「１」に対応する座標Xmaxとする。そして、表示制御部２５４は、適切度算出部２５３が算出した適切度に対応する横軸上の座標Xgaugeを以下の式（４）に基づいて算出し、当該座標Xgaugeにインジケータ２２０を表示させる。
Xgauge = Xmin + (Xmax - Xmin)* GAUGE(n) ・・・（４）
【００４７】
また、表示制御部２５４は、判定結果が親機１に近すぎることを示している場合、インジケータ２２０を第１領域２２１に表示させる。また、表示制御部２５４は、判定結果が親機１から遠すぎることを示している場合、インジケータ２２０を第３領域２２３に表示させる。
【００４８】
ここで、判定部２５２が、設置候補位置が設置位置として適しているか否かを定期的に判定することから、表示制御部２５４は、当該判定の結果に基づいて、定期的にインジケータ２２０を再描画する。これにより、通信装置２のユーザは、インジケータ２２０の位置を確認しながら、設置候補位置のうち、最適と考えられる設置候補位置を選択することができる。
【００４９】
第２閾値算出部２５５は、所定の解像度の映像を視聴するために最低限必要とされるスループットと、パケットのサイズとに基づいて、当該映像を視聴するために最低限必要とされるＲＴＴを第２閾値として算出する。
【００５０】
最低限必要とされるスループットをth_min[Mbit/sec]、通信装置２が親機１に対して送信するパケットのサイズをD[byte]とすると、第２閾値th_ave_max[msec]は、以下の式（５）で求められる。例えば、最低限必要とされるスループットが6Mbps、パケットのサイズが56500byteである場合、第２閾値th_ave_maxは、150.6msecと求められる。
th_ave_max=D * 8 * 2 / th_min / 1000・・・（５）
【００５１】
第３閾値算出部２５６は、所定の解像度の映像を視聴するために十分とされるスループットと、パケットのサイズとに基づいて、当該映像を視聴するために十分とされるＲＴＴを第３閾値として算出する。
【００５２】
十分とされるスループットをth_max[Mbit/sec]、通信装置２が親機１に対して送信するパケットのサイズをD[byte]とすると、第３閾値th_ave_min[msec]は、以下の式（６）で求められる。例えば、十分とされるスループットが40Mbps、パケットのサイズが56500byteである場合、第３閾値th_ave_minは、22.6msecと求められる。
th_ave_min=D * 8 * 2 / th_max / 1000・・・（６）
【００５３】
［フローチャート］
続いて、通信装置２における処理の流れについて説明する。図５は、第１の実施形態に係る通信装置２における処理の流れを示すフローチャートである。ここで、判定部２５２の判定間隔はＴ秒であるものとする。
【００５４】
まず、取得部２５１は、開始操作を受け付けたか否かを判定する（Ｓ１）。具体的には、取得部２５１は、図３に示す中継装置の設置位置の適否判定用の画面において開始ボタンが押下されたか否かを判定する。取得部２５１は、開始ボタンが押下されたと判定すると、Ｓ２に処理を移し、開始ボタンが押下されていないと判定すると、Ｓ１を再実行する。
【００５５】
続いて、取得部２５１は、ＩＣＭＰのｐｉｎｇを実行して親機１に対してパケットを送信する（Ｓ２）。ここで、取得部２５１は、Ｔ秒よりも短い時間ごと（例えば、数十ミリ秒ごと）にパケットの送信を行う。これにより、取得部２５１は、親機１に対して複数のパケットを送信する。続いて、取得部２５１は、パケットの送信を開始してから、Ｔ秒経過したか否かを判定する（Ｓ３）。取得部２５１は、Ｔ秒経過したと判定すると、Ｓ４に処理を移し、Ｔ秒経過していないと判定すると、Ｓ２に処理を移す。
【００５６】
続いて、取得部２５１は、Ｓ２において送信されたパケットに対応する複数のＲＴＴを取得する（Ｓ４）。ここで、取得部２５１は、Ｔ秒間に送信したパケットに対応する複数のＲＴＴに基づいてＲＴＴ平均値及び分散を算出するとともに、パケットのロス率を算出する。
【００５７】
続いて、判定部２５２は、パケットのロス率及びＲＴＴに基づいて、設置候補位置が親機１から遠すぎるか否かを判定する（Ｓ５）。具体的には、判定部２５２は、式（１）に示す条件式を満たすか否か判定を行う。判定部２５２は、当該条件式を満たすと、設置候補位置が親機１から遠すぎると判定し、Ｓ６に処理を移す。その後、表示制御部２５４は、Ｓ６において、インジケータ２２０を第３領域２２３に表示させる。その後、表示制御部２５４は、Ｓ１１に処理を移す。
【００５８】
また、判定部２５２は、Ｓ５において、設置候補位置が親機１から遠すぎないと判定した場合、Ｓ７に処理を移す。そして、判定部２５２は、Ｓ７において、ＲＴＴの平均値及びＲＴＴの分散に基づいて、設置候補位置が親機１から近すぎるか否かを判定する。具体的には、判定部２５２は、式（２）に示す条件式を満たすか否かを判定する。判定部２５２は、当該条件式を満たすと、設置候補位置が親機１から近すぎると判定し、Ｓ８に処理を移す。その後、表示制御部２５４は、Ｓ８においてインジケータ２２０を第１領域２２１に表示させる。その後、表示制御部２５４は、Ｓ１１に処理を移す。
【００５９】
また、判定部２５２は、Ｓ７において、設置候補位置が親機１から近すぎないと判定すると、設置候補位置が適切な位置にあると判定し、Ｓ９に処理を移す。適切度算出部２５３は、Ｓ９において、設置候補位置の適切度を算出する。
【００６０】
続いて、表示制御部２５４は、Ｓ１０において算出された適切度に基づいてインジケータ２２０を第２領域２２２に表示させる。その後、表示制御部２５４は、Ｓ１１に処理を移す。
【００６１】
Ｓ１１において、取得部２５１は、設置位置の適否判定の停止操作を受け付けたか否かを判定する。具体的には、取得部２５１は、図４に示す中継装置の設置位置の適否判定用の画面において停止ボタンが押下されたか否かを判定する。取得部２５１は、停止ボタンが押下されたと判定すると、本フローチャートに係る処理を終了し、停止ボタンが押下されていないと判定すると、Ｓ２に処理を移す。
【００６２】
［第１の実施形態における効果］
以上のとおり、第１の実施形態に係る通信システムＳでは、通信装置２が、親機１とのＲＴＴを取得し、当該ＲＴＴに基づいて、設置候補位置が中継装置の設置位置として適しているか否かを判定する。ここで、通信装置２は、ＩＣＭＰのｐｉｎｇを使用してＲＴＴを取得し、当該ＲＴＴに基づいて上記判定を行うことから、スマートフォン等の携帯端末を通信装置２として用いることができる。よって、通信システムＳでは、専用の通信装置を用いることなく中継装置の設置候補位置が設置位置として適しているか否かを判定することができる。
【００６３】
＜第２の実施形態＞
［室内の複数の位置におけるＲＴＴに基づいて第３閾値を更新する］
続いて、第２の実施形態について説明する。第１の実施形態では、通信装置２は、所定の解像度の映像を視聴するために十分とされるスループットと、パケットのサイズとに基づいて、当該映像を視聴するために十分とされるＲＴＴを第３閾値として算出した。しかしながら、無線通信において用いる無線ＬＡＮの仕様や、子機のスペックによっては、実際のスループットが、所定の解像度の映像を視聴するために十分とされるスループットよりも大きかったり、小さかったりすることがある。
【００６４】
図６Ａは、実際のスループットが、所定の解像度の映像を視聴するために十分とされるスループットよりも大きい場合のスループット特性の例を示す図である。図６Ｂは、実際のスループットが、所定の解像度の映像を視聴するために十分とされるスループットよりも小さい場合のスループット特性の例を示す図である。図６Ａ及び図６Ｂに示す例では、横軸に、通信装置２が親機１から受信する電波の電波強度を示し、縦軸に、通信装置２が当該電波強度の電波を受信した位置における実際のスループットを示す。
【００６５】
例えば、所定の解像度の映像を視聴するために十分とされるスループットが４０Ｍｂｐｓ、当該映像を視聴するために最低限必要とされるスループットが６Ｍｂｐｓである場合、図６Ａに示すスループット特性では、設置候補位置が親機１に近すぎると判定される電波強度の範囲が、約−７５ｄＢｍ以上となり、通信装置２が親機１から遠い位置であっても親機１に近すぎると判定されてしまう。また、図６Ａに示すスループット特性では、設置候補位置が設置位置として適切と判定される電波強度の範囲が、約−７５ｄＢｍから、約−８０ｄＢｍまでの範囲に限られ、適切と判定されるエリアが限られるという問題がある。
【００６６】
また、図６Ｂでは、設置候補位置が親機１に近すぎると判定される電波強度の範囲が存在せず、設置候補位置が設置位置として適切と判定される電波強度の範囲が、約−８５ｄＢｍ以上となる。これにより、通信装置２が親機１に近い位置であっても設置位置として適切と判定されてしまう。
【００６７】
これに対して、第２の実施形態では、室内の複数の位置におけるＲＴＴに基づいて第３閾値を更新する。第２の実施形態は、第３閾値を更新するという点で第１の実施形態と異なり、その他の点では同じである。以下に、第２の実施形態に係る通信装置２の詳細を説明する。なお、第１の実施形態と同様の機能については説明を省略する。
【００６８】
第２の実施形態において、取得部２５１は、設置候補位置から所定範囲内（例えば、同一の建物内）の複数の位置のそれぞれで、通信装置２が親機１に対してパケットを送信した場合の、当該複数の位置におけるＲＴＴの平均値を取得する。具体的には、まず、通信装置２のユーザは、通信装置２に速度測定用アプリケーションを実行させる。その後、ユーザは、所定の操作を行い、第３閾値を設定するための設定画面（不図示）を表示させる。この設定画面には、開始ボタンが表示されており、ユーザが開始ボタンを押下すると、取得部２５１は、ＩＣＭＰのｐｉｎｇを実行することによりパケットの親機１への送信を開始する。ユーザは、所定範囲内を自由に移動し、所定範囲内の様々な位置でのＲＴＴを取得部２５１に取得させる。なお、取得部２５１は、表示部２１に、「通信装置を持ちながら、各部屋を歩いてください」等のメッセージを表示させて、ユーザに、建物内の移動を促してもよい。
【００６９】
取得部２５１は、親機１に送信した複数のパケットのそれぞれに対応する複数のＲＴＴを取得する。そして、取得部２５１は、所定期間において取得したＲＴＴに基づいて、ＲＴＴの平均値を算出する。ここで、所定期間は、第１の実施形態の予め定められた更新間隔（１秒）よりも長い期間（例えば、１分）であるものとする。
【００７０】
なお、通信装置２は、加速度センサやＧＰＳ等によって通信装置２の位置情報を取得する位置情報取得部を備えてもよい。そして、取得部２５１が、当該位置情報取得部が取得した位置情報に基づいて、複数の位置のそれぞれにおけるＲＴＴを取得し、複数の位置におけるＲＴＴの平均値を取得してもよい。
【００７１】
第３閾値算出部２５６は、複数の位置におけるＲＴＴの平均値が第３閾値の所定割合未満（例えば、第３閾値の８０％）である場合に、当該第３閾値を当該ＲＴＴの平均値に基づいて更新する。例えば、第３閾値算出部２５６は、当該第３閾値未満、かつ、当該平均値よりも所定量だけ大きい値に更新したりしてもよい。ここで、第３閾値は、所定の解像度の映像を視聴するために十分とされるスループットに基づいて算出されたものであり、複数の位置におけるＲＴＴの平均値が第３閾値よりも小さい場合には、これらの複数の位置におけるスループットの平均値が、所定の解像度の映像を視聴するために十分とされるスループットよりも大きい。
【００７２】
この場合、通信装置２に対応するスループット特性は、図６Ａに示すものとなり、設置候補位置が親機１に近すぎると判定される範囲が広くなるとともに、設置位置として適切と判定される範囲が限定される。これに対して、第３閾値算出部２５６は、複数の位置におけるＲＴＴの平均値が第３閾値の所定割合未満である場合に、第３閾値をＲＴＴの平均値に基づいて更新するので、設置候補位置が設置位置として適切と判定される範囲を広げることができる。
【００７３】
なお、第３閾値算出部２５６は、複数の位置におけるＲＴＴの平均値が第３閾値よりも大きい場合に、当該第３閾値を、元の値よりも大きい値に更新してもよい。複数の位置におけるＲＴＴの平均値が第３閾値よりも大きい場合には、これらの複数の位置におけるスループットの平均値が、所定の解像度の映像を視聴するために十分とされるスループットよりも小さい。この場合、通信装置２に対応するスループット特性は、図６Ｂに示すものとなり、設置候補位置が設置位置として適切と判定される範囲が広くなる。これに対して、第３閾値算出部２５６は、複数の位置におけるＲＴＴの平均値が第３閾値よりも大きい場合に、第３閾値を元の値よりも大きい値に更新するので、設置候補位置が設置位置として適切と判定される範囲を狭くすることができる。
【００７４】
［フローチャート］
続いて、通信装置２における第３閾値の更新処理の流れについて説明する。図７は、通信装置２における第３閾値の更新処理の流れを示すフローチャートである。
【００７５】
まず、取得部２５１は、第３閾値を設定するための設定画面において開始操作を受け付けたか否かを判定する（Ｓ２１）。取得部２５１は、開始操作を受け付けたと判定すると、Ｓ２２に処理を移し、開始操作を受け付けていないと判定すると、Ｓ２１を再実行する。
【００７６】
続いて、取得部２５１は、ＩＣＭＰのｐｉｎｇを実行して親機１に対してパケットを送信する（Ｓ２２）。続いて、取得部２５１は、パケットの送信を開始してから所定期間が経過したか否かを判定する（Ｓ２３）。取得部２５１は、所定期間が経過したと判定すると、Ｓ２４に処理を移し、所定期間が経過していないと判定すると、Ｓ２２に処理を移す。
【００７７】
続いて、取得部２５１は、Ｓ２２において送信されたパケットに対応する複数のＲＴＴを取得し、ＲＴＴの平均値を取得する（Ｓ２４）。
続いて、第３閾値算出部２５６は、ＲＴＴの平均値が第３閾値の所定割合未満であるか否かを判定する（Ｓ２５）。第３閾値算出部２５６は、ＲＴＴの平均値が第３閾値の所定割合未満であると判定すると、Ｓ２６に処理を移し、第３閾値をＲＴＴの平均値に基づいて更新する。また、第３閾値算出部２５６は、ＲＴＴの平均値が第３閾値の所定割合未満ではないと判定すると、本フローチャートの処理を終了する。ここで、第３閾値算出部２５６は、ＲＴＴの平均値が第３閾値よりも大きい場合に、第３閾値を元の値よりも大きい値に更新してもよい。
【００７８】
［第２の実施形態における効果］
以上のとおり、第２の実施形態の通信装置２は、複数の位置におけるＲＴＴの平均値が第３閾値の所定割合未満又は所定割合以上である場合に、第３閾値をＲＴＴの平均値に基づいて更新するので、設置候補位置が設置位置として適切と判定される範囲が狭い場合、又は設置候補位置が設置位置として適切と判定される範囲が広すぎる場合に、当該範囲を調整することができる。
【００７９】
＜第３の実施形態＞
［親機１のＲＴＴの平均値と、親機１の近くの子機３のＲＴＴの平均値に基づいて第３閾値を更新する］
続いて、第３の実施形態について説明する。第３の実施形態では、通信装置２とは異なる子機３を親機１の近傍に配置し、通信装置２が、親機１とのＲＴＴの平均値と、子機３とのＲＴＴの平均値に基づいて第３閾値を更新する点で第２の実施形態と異なる。
【００８０】
図８は、第３の実施形態における通信システムＳの概要を示す図である。図８に示すように、通信システムＳは、子機３をさらに備える。子機３は、親機１と所定距離以内の位置に配置されており、親機１に無線通信可能に接続されている。子機３は、親機１を介して通信装置２と通信可能である。ここで、所定距離は、親機１との無線通信が遅延なく行われる距離であり、さらに、親機１と子機３との間には無線通信に影響を与える障害物が存在していないものとする。
【００８１】
第３の実施形態において、通信装置２の取得部２５１は、第２の実施形態と同様に、第３閾値を設定するための設定画面を表示部２１に表示させる。そして、取得部２５１は、ユーザが開始ボタンを押下したことに応じて、ＩＣＭＰのｐｉｎｇを実行することにより親機１及び子機３にパケットを送信する。ここで、取得部２５１は、親機１を介して子機３にパケットを送信する。取得部２５１は、親機１との複数のＲＴＴを取得するとともに、子機３との複数のＲＴＴを取得する（図８の（１）、（２））。
【００８２】
続いて、取得部２５１は、親機１とのＲＴＴの平均値を取得するとともに、親機１の近傍に配置されている子機３とのＲＴＴの平均値を取得する。
第３閾値算出部２５６は、親機１とのＲＴＴの平均値と、子機３とのＲＴＴの平均値とに基づいて、親機１と子機３との間のＲＴＴの平均値を算出する（図８の（３））。ここで、通信装置２と子機３とは、親機１を介して通信することから、第３閾値算出部２５６は、子機３とのＲＴＴの平均値から親機１とのＲＴＴの平均値を減算することにより、親機１と子機３との間のＲＴＴの平均値を算出する。
【００８３】
ここで、子機３は、親機１の近傍に配置されており、親機１と子機３との間には無線通信に影響を与える障害物が存在していないことから、親機１と子機３とのＲＴＴの平均値は、実質的に、親機１との無線通信におけるスループットの最大値に対応したものとなる。そして、第３閾値算出部２５６は、親機１と子機３との間のＲＴＴの平均値が第３閾値の所定割合未満である場合に、第３閾値を当該ＲＴＴの平均値に基づいて更新する（図８の（４））。
【００８４】
［第３の実施形態における効果］
以上のとおり、第３の実施形態の通信装置２は、親機１とのＲＴＴの平均値と、子機３とのＲＴＴの平均値とに基づいて、親機１と子機３との間のＲＴＴの平均値を算出し、親機１と子機３との間のＲＴＴの平均値が第３閾値の所定割合未満である場合に、第３閾値を当該ＲＴＴの平均値に基づいて更新するので、第２の実施形態と同様に、設置候補位置が設置位置として適切と判定される範囲を広げることができる。また、第３の実施形態の通信装置２では、通信装置２を複数の位置に移動させてＲＴＴを測定する必要がない。よって、通信装置２のユーザは、子機３を親機１の近傍に設置するという簡単な作業のみで第３閾値を更新することができる。
【００８５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【００８６】
例えば、上述の実施形態では、ＲＴＴの平均値に基づいて、判定部２５２が、設置候補位置が中継装置の設置位置として適切か否かを判定したり、第３閾値算出部２５６が、第３閾値の更新を行ったりしたが、これに限らない。例えば、取得部２５１が、ＲＴＴの中央値や最小値といったＲＴＴの統計値を取得してもよい。そして、判定部２５２が、当該統計値に基づいて設置候補位置が中継装置の設置位置として適切か否かを判定したり、第３閾値算出部２５６が、当該統計値に基づいて第３閾値の更新を行ったりしてもよい。
【符号の説明】
【００８７】
１・・・親機、２・・・通信装置、２１・・・入力部、２２・・・表示部、２３・・・通信部、２４・・・記憶部、２５・・・制御部、２５１・・・取得部、２５２・・・判定部、２５３・・・適切度算出部、２５４・・・表示制御部、２５５・・・第２閾値算出部、２５６・・・第３閾値算出部、３・・・子機、Ｓ・・・通信システム
【図１】
0006007266.tif 000002
【図２】
0006007266.tif 000003
【図３】
0006007266.tif 000004
【図４】
0006007266.tif 000005
【図５】
0006007266.tif 000006
【図６Ａ】
0006007266.tif 000007
【図６Ｂ】
0006007266.tif 000008
【図７】
0006007266.tif 000009
【図８】
0006007266.tif 000010